(57)【要約】【課題】肛門の位置が異なっているペットであっても大便を確実に捕捉することが可能なペット用オムツを提供する。【解決手段】 透水性の内側シート３と不透水性の外側シート４との間に液体を吸収可能な吸収部材５が介在され、内側シート３と外側シート４とに尻尾２２が外方へ引き出される尻尾挿通開口６，７が設けられ、尻尾挿通開口６，７からの大便を捕捉する大便捕捉開口１６を有する大便袋１１が外側シート４に装着可能となっている。尻尾挿通開口６，７の下部側に、該尻尾挿通開口６，７の大きさを調節可能なミシン目３１からなる穴径調節手段を設けた。【選択図】図１
2009240278.tif 000002
【特許請求の範囲】
【請求項１】
透水性の内側シートと不透水性の外側シートとの間に液体を吸収可能な吸収部材が介在され、前記内側シートと外側シートとに尻尾が外方へ引き出される尻尾挿通開口が設けられ、前記尻尾挿通開口からの大便を捕捉する大便捕捉開口を有する大便袋が前記外側シートに装着可能なペット用オムツであって、
前記尻尾挿通開口の下部側に、該尻尾挿通開口の大きさを調節可能な穴径調節手段を設けたことを特徴とするペット用オムツ。
【請求項２】
請求項１記載のペット用オムツであって、
前記穴径調節手段は、前記尻尾挿通開口の両側部から下部側に形成された易破断部であることを特徴とするペット用オムツ。
【請求項３】
請求項２記載のペット用オムツであって、
前記易破断部はミシン目であることを特徴とするペット用オムツ。
【請求項４】
請求項２又は請求項３記載のペット用オムツであって、
前記易破断部は尻尾挿通開口の両側部から下部側に延びる一対の開口拡張用破断部と、これらの開口拡張用破断部間を連結する切除破断部とらなり、前記開口拡張用破断部と切除破断部とで囲まれる外側シート及び内側シートを切除可能であることを特徴とするペット用オムツ。
【発明の詳細な説明】
【技術分野】
【０００１】
本発明は、犬、猫等のペットに着用させるためのペット用オムツに関する。
【背景技術】
【０００２】
従来のペット用オムツとしては特許文献１に記載の構造がある。このペット用オムツは、ペットの尻部側の内側シートと、内側シートの外側に設けられた外側シートと、内側シート及び外側シートの間に挟まれた尿吸収用の吸収部材とを備えている。又、ペットの尻尾を外側に引き出すためのミシン目又は尻尾用穴を内側シート及び外側シートに形成してあり、ペットへの装着の際に、これらに対して尻尾を挿通させている。このような構造のペット用オムツは、挿通した尻尾を基準にしてペットに装着させることを可能とするものである。
【特許文献１】特開平１０−７５６７９号公報
【発明の開示】
【発明が解決しようとする課題】
【０００３】
ところで、ペット用オムツには、大便を捕捉するための大便袋を備えたものが開発されている。このペット用オムツは、尿吸収用の吸収部材を備えたオムツ本体と、オムツ本体の外側に設けられた大便袋とを備えるものである。大便袋においては、ペットの肛門からの大便が通過する大便通過用開口が形成されており、この大便通過用開口が上述したミシン目や尻尾用穴に対応するようになっている。
【０００４】
しかしながら、ペットは雄、雌や種類等の個体によって肛門の位置が異なっている。このような場合において、尻尾を基準にしてペットに装着すると、肛門と大便袋との位置ずれした状態となり、大便を確実に捕捉することができない問題が発生する。
【０００５】
そこで本発明は、肛門の位置が異なっているペットであっても大便を確実に捕捉することが可能なペット用オムツを提供することを目的とする。
【課題を解決するための手段】
【０００６】
請求項１の発明のペット用オムツは、 透水性の内側シートと不透水性の外側シートとの間に液体を吸収可能な吸収部材が介在され、前記内側シートと外側シートとに尻尾が外方へ引き出される尻尾挿通開口が設けられ、前記尻尾挿通開口からの大便を捕捉する大便捕捉開口を有する大便袋が前記外側シートに装着可能なペット用オムツであって、前記尻尾挿通開口の下部側に、該尻尾挿通開口の大きさを調節可能な穴径調節手段を設けたことを特徴とする。
【０００７】
請求項２の発明は、請求項１記載のペット用オムツであって、前記穴径調節手段は、前記尻尾挿通開口の両側部から下部側に形成された易破断部であることを特徴とする。
【０００８】
請求項３の発明は、請求項２記載のペット用オムツであって、前記易破断部はミシン目であることを特徴とする。
【０００９】
請求項４の発明は、請求項２又は請求項３記載のペット用オムツであって、前記易破断部は尻尾挿通開口の両側部から下部側に延びる一対の開口拡張用破断部と、これらの開口拡張用破断部間を連結する切除破断部とらなり、前記開口拡張用破断部と切除破断部とで囲まれる外側シート及び内側シートを切除可能であることを特徴とする。
【発明の効果】
【００１０】
本発明によれば、内側シート及び外側シートの尻尾挿通開口の下部側に設けた穴径調節手段によって尻尾挿通開口の大きさを調節することができ、調節した尻尾挿通開口を通じて大便を大便袋に導くことができる。このため、肛門の位置が異なっているペットであっても大便を確実に捕捉することができる。
【発明を実施するための最良の形態】
【００１１】
以下、本発明を図示する実施形態により具体的に説明する。図１〜図４は、本発明の一実施形態のペット用オムツ１を示し、図１は正面図、図２は使用状態の側面からの断面図、図３は調節前の側面からの断面図、図４は調節後の側面からの断面図である。
【００１２】
この実施形態のペット用オムツ１は、オムツ本体２と大便袋１１とを備えている。大便袋１１はオムツ本体２の外面に接着、縫合その他の手段により取り付けられる。この場合、大便袋１１及びオムツ本体２を別体とし、面ファスナー、粘着剤等によって大便袋１１をオムツ本体２の外面に適宜取り付けるようにすることも可能である。
【００１３】
オムツ本体２は、内側シート３と外側シート４と吸収部材５とを備えている。内側シート３はペットの尻部２１側に位置するものであり、透水性材料により形成されている。透水性材料としては、不織布、吸水布、吸水綿とを用いることができる。外側シート４は内側シート３の外側に位置するものであり、不透水性材料により形成されている。透水性材料としては、ポリエチレン、ポリプロピレン、ポリスチレン等の合成樹脂を用いることができる。
【００１４】
吸収部材５は内側シート３と外側シート４との間に配置される。吸収部材５はペットの尿等の液体を吸収することが可能な材料により形成されている。液体を吸収可能な材料としては、粉砕パルプ、高分子吸収剤等を用いることができる。なお、吸収部材５に消臭剤を混入しても良い。
【００１５】
吸収部材５は、内側シート３及び外側シート４の間に挟まれるものであり、内側シート３及び外側シート４における吸収部材５の周囲部分は接着されている。
【００１６】
内側シート３及び外側シート４における吸収部材５の配置部位を除いた箇所には、尻尾挿通開口６、７が形成されている。尻尾挿通開口６は内側シート３に形成されており、尻尾挿通開口７は外側シート４に形成されている。これらの尻尾挿通開口６、７は、同一径で対応することにより連通している。又、尻尾挿通開口６、７は吸収部材５よりも上部側に設けられている。
【００１７】
連通した尻尾挿通開口６、７はペットの尻尾２２が挿通するものである。尻尾２２が尻尾挿通開口６、７に挿通することにより、尻部２１に対するペット用オムツ１の大まかな位置決めが可能となっている。
【００１８】
なお、オムツ本体２における腹当て側（図１における下側）及び背当て側（図１における上側）の両側部にはペットの身体に巻き付けられるウエストバンド８が設けられており、腹当て側のウエストバンド８には面ファスナー等の係合テープ９が設けられている。
【００１９】
大便袋１１は、内側部分１２と外側部分１３と収容部１４とを備えた袋状となっている。大便袋１１は全体がポリエチレン、ポリプロピレン等の不透水材料によって形成されている。内側部分１２はオムツ本体２側に位置するものであり、外側部分１３はオムツ本体２から離れた側に位置する。
【００２０】
内側部分１２には、オムツ本体２の尻尾挿通開口６、７に対応した尻尾挿通部１５が形成されると共に、尻尾挿通部１５の下部側には大便捕捉開口１６が連通状態で形成されている。尻尾挿通部１５は、尻尾挿通開口６、７を通った尻尾２２が挿通する部分である。大便捕捉開口１６は尻尾挿通部１５の下側に大きく開口されており、ペットの肛門からの大便を捕捉するための開口である。
【００２１】
外側部分１３には、尻尾引出部１７が形成されている。尻尾引出部１７はペットの尻尾２２が引き出される部分であり、内側部分１２の尻尾挿通部１５に対応して形成されている。
【００２２】
収容部１４は、内側部分１２及び外側部分１３の間に形成された空間部分であり、大便を収容する部分となる。ペットの大便は内側部分１２の大便捕捉開口１６から収容部１３に入り込んで収容される。
【００２３】
この実施形態において、オムツ本体２の尻尾挿通開口６、７の下部側には穴径調節手段としてのミシン目３１が形成されている。ミシン目３１は尻尾挿通開口６、７の下部側における内側シート３及び外側シート４の双方に形成されるものである。ミシン目３１は、指等により切開することが可能な易破断部となっている。ミシン目３１が尻尾挿通開口６、７の下部側に設けられることにより、ミシン目３１は大便袋１１の大便捕捉開口１６と対応した位置となる。
【００２４】
この実施形態のミシン目３１は、尻尾挿通開口６、７の両側部から下部側に延びる左右一対の開口拡張用破断部３２、３３と、一対の開口拡張用破断部３２、３３の下端部を連結する切除破断部３４とにより形成されている。これらにより、内側シート３及び外側シート４の開口拡張用破断部３２、３３及び切除破断部３４によって囲まれた部分を切除することができる。この切除により、尻尾挿通開口６、７の穴径を大きく調節することができる。
【００２５】
図３はミシン目３１を切除しないでペット用オムツ１を用いた場合を示し、図４はミシン目３１を切除してペット用オムツ１を用いた場合を示している。図３は大便袋１１を使用しない場合の着用状態である。図３の使用状態では、内側シート３及び外側シート４は尻尾挿通開口６、７以外の開口部分がなく、余分な隙間を発生させることがない。このため、尿を確実に吸収することができる。
【００２６】
これに対し、ミシン目３１を破断して開口拡張用破断部３２、３３及び切除破断部３４によって囲まれた部分を切除することにより、図４に示すように尻尾挿通開口６、７の下部側に大きな開口３５を形成することができる。開口３５は内側シート３及び外側シート４の双方に同時に形成される。この場合、ミシン目３１が大便捕捉開口１６との対応位置に設けられていることから、切除により形成された新たな開口３５は、大便袋１１の大便捕捉開口１６と対応する。これにより、切除により形成された開口３５を通じて大便捕捉開口１６に大便を導くことができる。
【００２７】
このような実施形態では、ミシン目３１を破断して開口拡張用破断部３２、３３及び切除破断部３４を除去して開口３５を形成することにより、内側シート３及び外側シート４の尻尾挿通開口６、７の大きさを調節することができる。このため、肛門の位置が異なっているペットであっても確実に大便を捕捉することが可能となる。
【００２８】
この場合、ミシン目３１が尻尾挿通開口６、７の下部側に設けられており、ペット用オムツ１の大まかな位置決めは、ミシン目３１の切除により形成された開口３５ではなく、当初から形成されている尻尾挿通開口６、７によって行われるため、ペット用オムツ１のズレが発生することがない。
【００２９】
ミシン目３１としては、尻尾挿通開口６、７の穴径を調節するものであればそのパターンは限定されることがなく、角Ｕ字形状、下側が大きくなっている錐形状、その他のパターンとすることができる。
【図面の簡単な説明】
【００３０】
【図１】本発明の一実施形態のペット用オムツの正面図である。
【図２】使用状態の側面からの断面図である。
【図３】調節前の側面からの断面図である。
【図４】調節後の側面からの断面図である。
【符号の説明】
【００３１】
１  ペット用オムツ
２  オムツ本体
３  内側シート
４  外側シート
５  吸収部材
６、７  尻尾挿通開口
１１  大便袋
１２  内側部分
１３  外側部分
１４  収容部
１５  尻尾挿通部
１６  大便捕捉開口
１７  尻尾引出部
３１  ミシン目
３２，３３  開口拡張用破断部
３４  切除破断部
【図１】
2009240278.tif 000003
【図２】
2009240278.tif 000004
【図３】
2009240278.tif 000005
【図４】
2009240278.tif 000006